(57)【要約】【課題】固体発光素子用いた照明灯を電子安定器に接続した場合でも、安定して点灯させることができかつ省電力化を図ることが可能な点灯制御回路を提供する。【解決手段】本発明の点灯制御回路は、商用交流電力が供給される電子安定器３に接続されて交流電流を直流電流に変換する整流部１２と、整流部１２と直列発光体９との間の電流供給ライン１０に直列発光体９と並列に設けられかつ整流部１２から出力された直流電流に含まれる交流成分を除去する平滑用コンデンサ１３と、電子安定器３から出力される出力電圧と等価な出力電圧を直列発光体９の起動時に起動電圧V1として生成し、かつ直列発光体９の起動時から一定時間経過後に直列発光体９を複数個の固体発光素子の直列接続からなる並列接続体９’に切り替える切替制御回路１７と、を有する。【選択図】  図７
2017004973.tif 000002
【特許請求の範囲】
【請求項１】
商用交流電力が供給される電子安定器に接続されて交流電流を直流電流に変換する整流部と、
前記整流部と直列発光体との間の電流供給ラインに前記直列発光体と並列に設けられかつ前記整流部から出力された直流電流に含まれる交流成分を除去する平滑用コンデンサと、
前記電子安定器から出力される出力電圧と等価な出力電圧を前記直列発光体の起動時に起動電圧として生成し、かつ前記直列発光体の起動時から一定時間経過後に前記直列発光体を複数個の固体発光素子の直列接続からなる並列接続体に切り替える切替制御回路と、
を有することを特徴とする点灯制御回路。
【請求項２】
一対の電極ピンをそれぞれ有する口金により両端部が封止された直管の内部に、
請求項１に記載の点灯制御回路と、
複数個の個体発光素子の直列接続体からなる直列発光体と、
を有することを特徴とする照明灯。
【発明の詳細な説明】
【技術分野】
【０００１】
本発明は、固体発光素子の点灯を制御するのに用いる点灯制御回路及びその点灯制御回路を用いた照明灯に関する。
【背景技術】
【０００２】
従来から、フィラメント電極を有する蛍光灯に代えて、消費電力の少ない固体発光素子として例えば発光ダイオード（LED）を用いた照明灯が提案されている（例えば、特許文献１参照。）。
【０００３】
この特許文献１に開示の技術によれば、グロースタータ式蛍光灯用の照明器具、ラピッドスタート式蛍光灯用の照明器具に固体発光素子を有する照明灯を取り付けることができるのみならず、蛍光灯用のインバータ式の電子安定器を備えた照明器具に交換可能に固体発光素子を有する照明灯を取り付けることができる。
【発明の概要】
【発明が解決しようとする課題】
【０００４】
ところが、蛍光灯の電子安定器に整流回路、平滑回路、固体発光素子を有する照明灯を取り付けると、市販の蛍光灯とは異なる照明灯が電子安定器に接続されるため、電子安定器の保護動作が作動し、照明灯が点灯しないことがある。
【０００５】
その照明灯が安定して点灯しない現象があるという事実はそれ自体公知であり、この照明灯の不安定動作を回避するために、従来、照明灯を蛍光灯の代わりに電子安定器に接続した場合に、電子安定器の出力電圧を蛍光灯が接続されているときの出力電圧に近い電圧（等価な電圧）としている。
【０００６】
しかしながら、照明灯が安定器に接続されているときの出力電圧を蛍光灯が電子安定器に接続されているときの出力電圧に近づけると、電子安定器の保護動作が働きにくくなるため、照明灯を安定して点灯させることができるというメリットはあるものの、電力節約を図りにくくなるという不都合がある。
【０００７】
その一方、照明灯が電子安定器に接続されているときの出力電圧を蛍光灯が電子安定器に接続されているときの出力電圧よりも低く設定すると、電力節約の向上を図ることができるが、電子安定器の保護動作が作動し、照明灯の点灯が不安定となるという問題点がある。
【０００８】
本発明は、上記の事情に鑑みて為されたもので、固体発光素子用いた照明灯を電子安定器に接続した場合でも、安定して点灯させることができかつ省電力化を図ることが可能な点灯制御回路及びその点灯制御回路を用いた照明灯を提供することにある。
【課題を解決するための手段】
【０００９】
本発明の点灯制御回路は、商用交流電力が供給される電子安定器に接続されて交流電流を直流電流に変換する整流部と、
前記整流部と直列発光体との間の電流供給ラインに前記直列発光体と並列に設けられかつ前記整流部から出力された直流電流に含まれる交流成分を除去する平滑用コンデンサと、
前記電子安定器から出力される出力電圧と等価な出力電圧を前記直列発光体の起動時に起動電圧として生成し、かつ前記直列発光体の起動時から一定時間経過後に前記直列発光体を複数個の固体発光素子の直列接続からなる並列接続体に切り替える切替制御回路と、
を有することを特徴とする。
【発明の効果】
【００１０】
本発明によれば、起動時には電子安定器の出力電圧を蛍光灯に近い電圧を用いて照明灯を起動させ、照明灯の動作安定後は、電子安定器の出力電圧を下げることにしたので、固体発光素子を用いた照明灯でも安定して点灯させることができると共に、消費電力の低減を図ることができる。
【図面の簡単な説明】
【００１１】
【図１】図１は本発明の実施例に係る固体発光素子を有する照明灯が取付け可能な既存の蛍光灯用の電子安定器を備えた照明器具の概要を示す断面図である。
【図２】図２は図１に示す照明器具に取付可能な照明灯の外観を概略示す正面図である。
【図３】図３は本発明に係る固体発光素子を用いた照明灯の点灯制御回路の実施例１の結線図である。
【図４】図４は図３に示す整流部から出力される電圧波形の説明図である。
【図５】図５は図３に示す点灯制御回路の変形例を示す結線図である。
【図６】図６は本発明に係る固体発光素子を用いた照明灯の点灯制御回路の実施例２の結線図である。
【図７】図７は本発明に係る固体発光素子を用いた照明灯の点灯制御回路の実施例３の結線図である。
【発明を実施するための形態】
【実施例】
【００１２】
以下に、図面を参照しつつ本発明の実施例に係る点灯制御回路、その点灯制御回路を用いた照明灯及び点灯制御回路の制御方法を説明する。
図１は本発明に係る固体発光素子を有する照明灯が取付け可能な既存の蛍光灯用の電子安定器を備えた照明器具の概要を示す外観図である。
【００１３】
（共通構成）
その図１において、１は後述する直管式の照明灯が装着される反射傘である。その反射傘１には、その延びる方向両端に、一対のソケット２が間隔を開けて設けられている。その反射傘１には、商用交流電源Eからの電力が供給可能な蛍光灯用の既存の電子安定器３が設けられている。
【００１４】
この照明器具には、既存の直管式の蛍光灯が装着可能であるが、ここでは、この既存の直管式の蛍光灯に代えて、図２に示す直管式の照明灯４が取り付けられる。この照明灯４は、直管５の両端部が一対の口金６により封止されている。その各口金６には電力供給系統の一部を構成する一対の電極ピン７a、７aが設けられている。
【００１５】
電子安定器３には商用交流電源Eが接続されている。その商用交流電源Eの周波数は例えば５０Hz／６０Hzである。この電子安定器３の出力側は一対のソケット２に接続されている。その一対のソケット２はそれぞれ一対の電極端子２a、２ｂを有する。この一対の電極端子２a、２ｂには一対の電極ピン７a、７aが接続される。
【００１６】
直管５の内部には、図３に示すように、複数個の固体発光素子（例えば、発光ダイオード（LED））８と、点灯制御回路１１とが設けられている。その複数個の固体発光素子８は直列接続されて直列接続体からなる直列発光体９を構成している。この直列発光体９はここでは少なくとも３列並列に設けられている。
【００１７】
（実施例１）
その点灯制御回路１１は、電流供給ライン１０と、整流部１２と、平滑用コンデンサ１３と、タイマー制御回路１４と、インピーダンス素子１５と、短絡用スイッチング素子（SW1）１６とから構成されている。その整流部１２は、商用交流電源Eから電力が供給される電子安定器３に接続されて交流電流を直流電流に変換する役割を果たす。
【００１８】
この整流部１２は、整流ダイオードD1〜D4を有するブリッジ型の全波整流回路からなるのが望ましい。この各整流部１２の入力側は一対の電極ピン７a、７aに接続されている。この各整流部１２の出力側は平滑用コンデンサ１３の両端の電極に接続されている。
【００１９】
その平滑用コンデンサ１３は、出力側から出力された直流電流に含まれる交流成分を除去する役割を有する。その平滑用コンデンサ１３の両端の電極には各直列発光体９の両端が電流供給ライン１０により並列に接続されている。
【００２０】
インピーダンス素子１５は、ここでは、整流部１２と直列発光体９との間の電流供給ライン１０に直列に介装されている。このインピーダンス素子１５は、電子安定器３に蛍光灯が接続されて蛍光灯が起動されたときに電子安定器３から出力される出力電圧と等価な出力電圧を照明灯４（直列発光体９）の起動時に起動電圧として生成する機能を有する。
【００２１】
そのインピーダンス素子１５には、ここでは、ツェナーダイオード（ZD1）が用いられているが、抵抗器又はインダクタを用いても良い。短絡用スイッチング素子１６は、インピーダンス素子１５と並列に接続されている。この短絡用スイッチング素子１６には、半導体スイッチング素子を用いることができるが、リレースイッチ、メカニカルスイッチでも良い。
【００２２】
タイマー制御回路１４は、照明灯４の起動時から蛍光灯のフィラメントへの通電時間に対応するとみなされる少なくとも一定時間（蛍光灯のフィラメントの予熱時間に相当する）経過後に短絡用スイッチング素子１６を短絡させて電子安定器３から出力される出力電圧を起動電圧よりも低下させる役割を果たす。
【００２３】
すなわち、図３に示す電源スイッチSWをオンすると、電子安定器３がオンされ、直列発光体９の起動開始から蛍光灯のフィラメントへの通電時間に対応するとみなされる少なくとも一定時間ｔの間、図４に示すように、電子安定器３に蛍光灯が接続されて起動されたときに電子安定器３から出力される出力電圧と等価な起動電圧V1が生成される。
【００２４】
ついで、タイマー制御回路１４は、その起動開始から一定時間ｔ経過後に短絡用スイッチング素子１６を閉成する。これにより、インピーダンス素子１５が短絡され、図４に示すように電子安定器３から出力される出力電圧Vが起動電圧V１よりも低下される。
【００２５】
このように、この実施例によれば、蛍光灯が電子安定器３に接続されて蛍光灯が起動されたときに電子安定器３ら出力される出力電圧V1と等価な出力電圧を直列発光体９の起動時にこの直列発光体９に印加する制御ステップと、直列発光体９の起動開始から蛍光灯のフィラメントへの通電時間に対応するとみなされる少なくとも一定時間ｔ経過後に、電子安定器３から出力される出力電圧Vを起動電圧V1よりも低下させる制御ステップとが実行される。
【００２６】
言い換えると、直列発光体９に電気的に並列に平滑用コンデンサ１３が接続されて直列発光体９に電流を供給する電流供給ライン１０にインピーダンス素子１５を介挿すると共にインピーダンス素子１５に並列に短絡用スイッチング素子１６を設けることにより、短絡用スイッチング素子１６を直列発光体９の起動時から一定時間ｔ経過するまでの間、開成状態に保持することにより、蛍光灯が電子安定器３に接続されて起動されたときに電子安定器３から出力される出力電圧と等価な出力電圧Vを直列発光体９の起動時に直列発光体９に印加する制御ステップと、一定時間ｔ経過後に電子安定器３から出力される出力電圧を起動電圧V１よりも低下させる制御ステップとが実行される。
【００２７】
その結果、照明灯４の起動時には電子安定器３の出力電圧Vを蛍光灯に近い電圧を用いて照明灯４を起動させ、照明灯４の動作安定後は、電子安定器３の出力電圧Vを起動電圧V1よりも下げることができるので、固体発光素子８を用いた照明灯４でも安定して点灯させることができると共に、消費電力の低減を図ることができる。
【００２８】
なお、蛍光灯のフィラメントへの通電開始からそのフィラメントへの通電停止とみなされるまでの時間（予熱時間；蛍光灯が放電を開始して点灯するまでに要する時間）よりも若干多めの時間を一定時間として設定するのが、安定して固体発光素子８を点灯させる観点から望ましい。
【００２９】
（変形例）
以上の実施例では、整流部１２と直列発光体９との間の電流供給ライン１０に直列にインピーダンス素子１５を介装する構成としたが、図５に示すように、電子安定器３と整流部１２との間にインピーダンス素子１５を介装する構成としても良い。残余の構成及び作用は実施例１と同様であるので、符合のみを示し、その詳細な説明は省略する。
なお、この場合には、電子安定器３から出力される交流成分を考慮して、互いに逆向きのインピーダンス素子１５を電流供給ライン１０に一対設けるのが望ましい。
【００３０】
（実施例２）
図６は本発明に係る固体発光素子を用いた照明灯の点灯制御回路の実施例２の結線図である。
この実施例２では、平滑用コンデンサ１３と直列発光体９との間の電流供給ライン１０に、電子安定器３に蛍光灯が接続されて蛍光灯が起動されたときに電子安定器３から出力される出力電圧と等価な出力電圧を直列発光体９の起動時に起動電圧V１として生成するために直列発光体９の起動時に開成状態にありかつ直列発光体９の起動時から少なくとも一定時間ｔ経過後に閉成状態とされる短絡用スイッチング素子１６が介装されている。また、インピーダンス素子は整流部１２と平滑用コンデンサ１３の間等、整流部１２と直列発光体９の間に適宜設けることができる。
【００３１】
タイマー制御回路１４は、直列発光体９の起動開始から蛍光灯のフィラメントへの通電時間に対応するとみなされる少なくとも一定時間ｔ経過後に短絡用スイッチング素子１６を閉成する機能を有し、これにより電子安定器３から出力される出力電圧が低下される。
【００３２】
この実施例２による場合にも、起動時から一定時間ｔ経過するまでの間、短絡用スイッチング素子１６を開成状態に保持することにより蛍光灯が電子安定器３に接続されて蛍光灯が起動されたときに電子安定器３から出力される出力電圧と等価な出力電圧V1を直列発光体９に印加する制御ステップと、一定時間ｔ経過後に電子安定器３から出力される出力電圧Vを起動電圧V1よりも低下させる制御ステップとが実行されるので、実施例１と同様の効果を奏する。
【００３３】
（実施例３）
図７は本発明に係る固体発光素子を用いた照明灯の点灯制御回路の実施例３の結線図である。
この実施例３では、電子安定器３に蛍光灯が接続されて蛍光灯が起動されたときに電子安定器３から出力される出力電圧と等価な起動電圧を照明灯４の起動時に生成するために、直列発光体９は固体発光素子８が４２個直列に接続された直列接続体から構成されている。この直列接続体はここでは３個並列に設けられているが、図７には、図面上の煩雑さを避けるために１個の直列発光体９のみが示されている。
【００３４】
照明灯４には、その直列発光体９の起動開始から蛍光灯のフィラメントへの通電時間に対応するとみなされる少なくとも一定時間ｔ経過後に直列発光体９を複数個の固体発光素子８からなる並列接続体９'に切り替えることにより電子安定器３から出力される出力電圧Vを起動電圧V１よりも低下させる切り替え回路１７（切替制御回路１７）が設けられている。その並列接続体９'はここでは、２１個の固体発光素子８の直列接続体から構成される。
【００３５】
この切り替え回路１７（切替制御回路１７）は、ここでは、タイマー回路１７aと、リレースイッチ回路１７ｂと、タイマー回路ー１７a、リレースイッチ回路１７ｂ、に安定電圧を供給する電源安定化回路１７ｃとから構成されている。
【００３６】
リレースイッチ回路１７ｂは、通電コイル１８、この通電コイル１８と並列の逆流防止用ダイオード１９、可動接点TW１、TW2、固定接点T1〜T4から構成されている。
直列発光体９には、その４２個の固体発光素子８からなる直列接続体を２１個の固体発光素子８からなる並列接続体９'に切り替えたときに通電電流の逆流を防止する逆流防止用ダイオード２０、２１、２２が設けられている。
【００３７】
なお、この実施例３においては、電流供給ライン１０には平滑用コンデンサ１３と並列に抵抗R1、R2、バリスタBaが回路設計上の観点から設けられているが、この発明においては、本質的ではない。
【００３８】
この実施例３によれば、電子安定器３に蛍光灯が接続されて蛍光灯が起動されたときに電子安定器３から出力される出力電圧と等価な起動電圧を照明灯４の起動時に生成するために、リレー接点TW1が固定接点T３に接続され、リレー接点TW2が固定接点T1に接続されているので、電流iが実線で示すように、４２個の固体発光素子８に流れる。
従って、電子安定器３から起動電圧V１が直列発光体９に印加される。
【００３９】
また、切り替え制御回路１７（切替制御回路１７）は、照明灯４の起動時から一定時間ｔ経過後に、リレー接点TW1を破線で示すように固定接点T4の側に切り替えると共に、リレー接点TW2を破線で示すように固定接点T2の側に切り替える。
【００４０】
その結果、電流iが破線で示すように、２１個の固体発光素子８の直列接続からなる並列接続体９'に流れることになり、直列発光体９の起動開始から蛍光灯のフィラメントへの通電時間に対応するとみなされる少なくとも一定時間ｔ経過後には安定器３から出力される出力電圧Vが起動電圧V１よりも低下される。
【００４１】
すなわち、この実施例３によれば、直列発光体９の起動開始から蛍光灯のフィラメントへの通電時間に対応するとみなされる少なくとも一定時間ｔ経過後に、直列発光体９の接続状態が直列接続状態から固体発光素子の直列接続からなる並列接続状態に切り替える制御ステップが実行され、これにより、起動時には電子安定器の出力電圧を蛍光灯に近い電圧を用いて照明灯を起動させ、照明灯の動作安定後は、電子安定器の出力電圧を下げることにしたので、固体発光素子を用いた照明灯でも安定して点灯させることができると共に、消費電力の低減を図ることができる。
【符号の説明】
【００４２】
３…電子安定器
８…固体発光素子
９…直列発光体
１０…電流供給ライン
１２…整流部
１３…平滑用コンデンサ
１４…タイマー制御回路
１５…インピーダンス素子
１６…短絡用スイッチング素子
【先行技術文献】
【特許文献】
【００４３】
【特許文献１】特開２００８−２７７１８８号公報
【図１】
2017004973.tif 000003
【図２】
2017004973.tif 000004
【図３】
2017004973.tif 000005
【図４】
2017004973.tif 000006
【図５】
2017004973.tif 000007
【図６】
2017004973.tif 000008
【図７】
2017004973.tif 000009